(57)【特許請求の範囲】
【請求項１】
複数の端末装置と、これ等端末装置と公衆回線で接続され前記端末装置の故障状況を集中監視する集中監視装置とを含む集中監視システムであって、前記複数の端末装置の各々は、自装置の故障発生に応答して前記自装置の着信回路を話中モードに設定するモード設定手段を有し、前記集中監視装置は、前記端末装置の各々に対して発呼をなす発呼手段と、前記発呼に応答する呼び出し音の発生回数を計数する計数手段と、前記計数手段で計数された前記発生回数が所定数に達した時に前記端末装置が正常であることを判定する判定手段とを有することを特徴とする集中監視システム。
【請求項２】
前記判定手段は、前記計数手段で計数された前記発生回数が所定数に達しない時に前記端末装置の故障と判定するようにしたことを特徴とする請求項１記載の集中監視システム。
【請求項３】
前記判定手段は、前記計数手段で前記発生回数が計数されない時に前記端末装置の故障と判定するようにしたことを特徴とする請求項１記載の集中監視システム。
【請求項４】
前記発呼手段は、前記計数手段で前記発生回数が計数されない時に予め定められた回数だけ発呼を繰返すよう構成されており、前記判定手段は、前記発呼が前記回数繰返された後に始めて前記端末装置の故障と判定するようにしたことを特徴とする請求項３記載の集中監視システム。
【請求項５】
前記端末装置のモード設定手段は、前記端末装置を構成する中央処理部が正常動作時に所定周期でリセット信号を生成する手段と、前記リセット信号によりリセットされるタイマ手段と、前記タイマ手段のタイムオーバ時に前記話中モードに設定する手段とを有することを特徴とする請求項１〜４のいずれか記載の集中監視システム。
【発明の詳細な説明】
【０００１】
【発明の属する技術分野】
本発明は集中監視システムに関し、特に集中監視装置と端末装置とを公衆電話回線で結んで監視する集中監視システムに関する。
【０００２】
【従来の技術】
例えばビル設備管理システムは、ビル内の必要箇所に分散して配置され、電気、空調、熱源、衛生、防災等の設備の監視・制御を行う複数の端末装置と、それを監視する集中監視装置とで構成されるシステムである。単一ビル内の設備を管理するシステムが基本であるが、複数のビルを統合管理することも可能である。本発明は、一般加入（公衆）電話回線を通信系として使用したビル管理システムに関する。
【０００３】
従来は、端末装置の故障を検出するために、集中監視装置から各端末装置に対して、一定周期で電話をかけていた。この従来の集中監視システムでは、当然のことながら電話をかける度に電話代がかかることとなる。
【０００４】
特開昭６０−１６９２６３号公報には、例えばホームセキュリティシステムにおいて電話回線網を使用して、家庭の機器の遠隔制御を行う場合、電話機の呼び出し回数に応じて、接続機器を制御する方法が提案されている。
【０００５】
具体的には、例えば外部の公衆電話機から、家庭にある各種機器を制御しようとする場合、家庭の電話機に接続された形で、電話機の呼び出し音を計数し、家庭の各種機器を制御する計数・制御機器を設け、例えば１回目の電話の呼び出し回数が３回の場合は機器Ａを選択し、４回の場合は機器Ｂ、５回の場合は機器Ｃを選択するものとし、２回目の呼び出し回数が３回の場合はオフ制御、４回の場合はオン制御を行う。なお、これら以外の呼び出し回数の場合は処理を中止する。
【０００６】
【発明が解決しようとする課題】
特開昭６０−１６９２６３号公報記載の提案の場合、電話機の呼び出し音を利用して計数・制御機器を介して家庭にあるいくつかの機器を制御しているが、例えば電話をかけ違っても、計数制御機器の電源が切られていても、家庭の機器の制御の目的は達せられないにも関わらず、それを確認することはできない。家庭の機器の制御の場合はこれでも良いのかもしれないが、業務用の機器の場合はこれでは実用にならない。
【０００７】
本発明の目的は、端末装置の障害を効率よく集中監視装置に収集できる集中監視装置を提供することである。
【０００８】
【課題を解決するための手段】
本発明によれば、複数の端末装置と、これ等端末装置と公衆回線で接続され前記端末装置の故障状況を集中監視する集中監視装置とを含む集中監視システムであって、前記複数の端末装置の各々は、自装置の故障発生に応答して前記自装置の着信回路を話中モードに設定するモード設定手段を有し、前記集中監視装置は、前記端末装置の各々に対して発呼をなす発呼手段と、前記発呼に応答する呼び出し音の発生回数を計数する計数手段と、前記計数手段で計数された前記発生回数が所定数に達した時に前記端末装置が正常であることを判定する判定手段とを有することを特徴とする集中監視システムが得られる。
【０００９】
本発明では、端末装置側に自己診断部を設け、障害（異常）が発生した場合、着呼した電話に対し、呼び出し音が鳴らないモード、すなわち話中モードにすることにより、集中監視装置に対し端末装置の異常を認識させる。正常時は、呼び出し音が鳴り、例えば３回程度の鳴動で正常と認識する。電話を着信させないため電話代はかからない。
【００１０】
【発明の実施の形態】
以下に、本発明の実施例について図面を参照して説明する。
【００１１】
図１は本発明による集中監視システムの実施例の構成を示すブロック図である。
【００１２】
図１において、端末装置１−１〜１−ｎは、それぞれ公衆電話回線網３を介して、集中監視装置２に接続されている。端末装置１−１〜１−ｎはそれぞれ同じ構成を持っているので、代表として端末装置１−１について説明する。
【００１３】
端末装置１−１は、正常モードにセットされている場合に、着呼があると呼び出し音を鳴動させ、例えば５回呼び出し音を鳴動させても、まだ着呼状態であれば着信させ、中央処理部１−１−２と通信可能状態とし、話中モードにセットされている場合は、話中音を返す着信回路１−１−１、端末装置１−１全体を制御し、正常動作時は例えば１秒ごとにタイマ監視部１−１−３にタイマリセット信号を送る中央処理部１−１−２、定められたタイマ値１−１−４を例えば１０秒としたとき、１０秒間中央処理部１−１−２からのタイマリセット信号が途絶えると、タイムアウト信号を自己診断部１−１−５に送るタイマ監視部１−１−３、通常は着信回路１−１−１を正常モードにセットし、タイムアウト信号が送られてくると中央処理部１−１−２が異常（障害発生）と判断し、着信回路１−１−１を話中モードにセットする自己診断部１−１−５で構成される。
【００１４】
集中監視装置２は、例えば１時間に１回程度の一定周期で端末装置１−１〜１−ｎの状態を監視するために、端末装置１−１〜１−ｎへの発呼要求を発呼回路部２−２に送る端末装置監視部２−１、端末装置１−１〜１−ｎに対応する形で登録された電話番号２−４−１〜２−４−ｎに基づいて順次発呼し、公衆電話回線網３を介して端末装置１−１〜１−ｎを呼び出す発呼回路部２−２、発呼中の電話線の音をモニタし、呼び出し音を検出すると、呼び出し回数を端末装置監視部２−１へ通知する呼び出し音計数部２−３で構成される。
【００１５】
本発明の実施例の動作は、図２のフローチャートに示すように、端末装置監視部２−１が発呼要求を出す（ステップ１１）と、発呼回路部２−２は発呼処理を行う（ステップ１２）。端末装置監視部２−１は呼び出し音計数部２−３を介して、呼び出し音が鳴動したかどうかを判定（ステップ１３）し、ＹＥＳの場合は、同様にさらに３回呼び出し音が鳴動したかどうかを判定（ステップ１４）し、さらにＹＥＳの場合は、発呼回路部２−２を含めて回線断（公衆回線切り離し）処理を行い（ステップ１５）、端末装置例えば１−１が正常と判定する（ステップ１６）。
【００１６】
ステップ１３がＮＯの場合、端末装置監視部２−１は発呼回路部２−２を含めて回路断処理を行い（ステップ１７）、リトライ（発呼やり直し）回数が３回未満かどうかを判定（ステップ１８）し、ＹＥＳの場合は例えば１分間タイマで遅らせた（ステップ１９）後、再発呼する（ステップ１２）。例えば３回リトライを繰り返しても、呼び出し音が鳴動しない場合（ステップ１８がＮＯ）は、端末装置例えば１−１を故障と判定する（ステップ２１）。
【００１７】
また、ステップ１４がＮＯの場合、タイムアウト（例えば１分間）したかどうかを判定（ステップ２０）し、ＹＥＳの場合は端末装置例えば１−１は故障と判定する（ステップ２１）。ステップ２０がＮＯの場合はステップ１４に戻る。
【００１８】
【発明の効果】
以上説明したように本発明は、呼び出し音を確認することによって、電話代をかけることなく、集中監視装置から各端末装置の故障状況を確認できる効果がある。
【図面の簡単な説明】
【図１】本発明の実施例のブロック図である。
【図２】本発明の実施例のフローチャートである。
【符号の説明】
１−１〜１−ｎ  端末装置
１−１−１〜
１−ｎ−１  着信回路
１−１−２〜
１−ｎ−２  中央処理部
１−１−３〜
１−ｎ−３  タイマ監視部
１−１−４〜
１−ｎ−４  タイマ値
１−１−５〜
１−ｎ−５  自己診断部
２  集中監視装置
２−１  端末装置監視部
２−２  発呼回路部
２−３  呼び出し音計数部
２−４−１〜
２−４−ｎ  電話番号
３  公衆電話回線網
【図１】
0003730741.tif 000002
【図２】
0003730741.tif 000003